(57)【要約】【課題】装高精度且つ高荷重で粒子部材の頂部の安定した平坦化を行うことができ、また、耐偏荷重に対しては、外部からの固定機構を付加することで、高荷重の倣い機能を実現できるプレス装置を提供する。【解決手段】下プレスヘッドは、上面に凹球面を有する下部材と、下面に前記下部材の凹球面に嵌合する凸球面を有する上部材と、上部材の凸球面と下部材の凹球面との間にエアを供給するエア供給・吸引機構と、上部材の外側から押圧して、下部材に対する上部材の位置を固定する固定機構とを有する倣い手段を備える。下部材の凹球面に上部材の凸球面を嵌合させてこれらの間にエアを供給した状態で、上プレスヘッドを下降させて、上プレスヘッドの下端平坦面にて上部材の上面平坦面を押圧して上プレスヘッドと下プレスヘッドとの平行出しを行う。平行出し状態で凹球面と凸球面との間のエアの排出・吸引により上部材の下部材に対する位置固定を自動で行う。また、凹球面は大きな垂直荷重に耐えうる受け面積と厚みを有する。【選択図】図１
2014132649.tif 000002
【特許請求の範囲】
【請求項１】
上プレスヘッドと、下プレスヘッドと、下プレスヘッドにて受けられた粒子部材形成体に形成される粒子部材を押圧するプレス装置であって、
下プレスヘッドは、上面に凹球面を有する下部材と、下面に前記下部材の凹球面に嵌合する凸球面を有する上部材と、上部材の凸球面と下部材の凹球面との間にエアを供給するエア供給・吸引機構と、上部材の外側から押圧して、下部材に対する上部材の位置を固定する固定機構とを有する倣い手段を備え、下部材の凹球面に上部材の凸球面を嵌合させてこれらの間にエアを供給した状態で、上プレスヘッドを下降させて、上プレスヘッドの下端平坦面にて上部材の上面平坦面を押圧して上プレスヘッドと下プレスヘッドとの平行出しを行い、この平行出し状態で凹球面と凸球面との間のエアの排出・吸引により上部材の下部材に対する位置固定を行うことを特徴とするプレス装置。
【請求項２】
下部材の少なくとも凹球面形成部位が多孔質材料で構成され、多孔質材料を介してエア供給・吸引機構にて凹球面と凸球面との間にエアを供給することを請求項１に記載の特徴とするプレス装置。
【請求項３】
多孔質材料は、少なくとも装置使用時に負荷される垂直荷重に対応する受け面積と厚みを有することを特徴とする請求項２に記載のプレス装置。
【請求項４】
固定機構は、下部材側の固定部に装着されて、螺進退によって上部材に対してその外側から接近・離間する耐偏荷重用のねじ構造体にて構成されることを特徴とする請求項１〜請求項３のいずれか１項に記載のプレス装置。
【請求項５】
上プレスヘッドと、下プレスヘッドと、下プレスヘッドを加熱する加熱体とを備えたプレス装置であって、
下プレスヘッドが加熱体上に載置された状態で下プレスヘッドと加熱体とがロックされるロック機構を備え、このロック機構は、ピン部材と、下プレスヘッドの時計回り又は反時計回りの係合方向の回動でピン部材が係合し、反係合方向の回動でその係合が解除される係合部材とからなることを特徴とする請求項１〜請求項４のいずれか１項に記載のプレス装置。
【請求項６】
ピン部材が下プレスヘッド側に設けられるとともに、係合部材が加熱体側に設けられ、係合部材は、下プレスヘッドの係合方向の回動でピン部材が嵌入し、下プレスヘッドの反係合方向の回動でピン部材の嵌入が解除されるコの字体にて構成されることを特徴とする請求項５に記載のプレス装置。
【請求項７】
係合部材には、下プレスヘッドの位置ずれを規制する規制部材が付設されることを請求項５又は請求項６に記載の特徴とするプレス装置。
【請求項８】
規制部材は、ピン部材が嵌入するコの字体嵌合部に突入するボールを有するボールプランジャにて構成されることを特徴とする請求項７に記載のプレス装置。
【請求項９】
粒子部材形成体に形成された粒子部材の頂部を上プレスヘッドの下端平坦面で押圧して平坦化するコイニングに用いることを特徴とする請求項１〜請求項８のいずれかの１項のプレス装置。
【請求項１０】
発光素子の電極と基板側電極との間に介在される粒子部材にて導通した状態で異方性導電接着剤を介して発光素子と基板側電極とを接着するフリップチップ実装に用いることを特徴とする請求項１〜請求項８のいずれかの１項のプレス装置。
【発明の詳細な説明】
【技術分野】
【０００１】
本発明は、基板やＩＣチップ等の電子部品（バンプ形成体）に形成された粒子部材を押圧するプレス装置に関する。
【背景技術】
【０００２】
このようなプレス装置には、粒子部材形成体に形成された粒子部材の頂部をプレスヘッドの下端平坦面で押圧して平坦化するコイニング装置がある。
【０００３】
従来のコイニング装置として、特許文献１や特許文献２に示すように、下治具（下プレスヘッド）と上治具（上プレスヘッド）とを用いて、基板の厚さ方向にバンプの頂部に押
圧力を加えるものがある。
【０００４】
図２１に示すように、下プレスヘッド１上に基板２を載置して、上プレスヘッド３を下降させて、基板２上のバンプの頂部を押圧することになる。このため、下プレスヘッド１の上面と、上プレスヘッド３の下面との平行度が重要である。
【０００５】
すなわち、上プレスヘッド３が下降してバンプの頂部を加圧する際に、上プレスヘッド３の下面に対して下プレスヘッド１の上面が傾斜している状態であれば、正確なコイニングを行うことができない。
【０００６】
このため、従来においては、下プレスヘッド１の平行度出しを行う必要があった。この場合の調整は、作業者が手動調整を行うのが一般的であった。
【０００７】
従来には、圧着ヘッドにより電子部品を基板に押圧してボンディングする電子部品のボンディング装置において、チルト機構を備えた圧着ヘッドを用い平行度のばらつきを吸収する方法が種々提案されている（特許文献３）。この特許文献３に記載のチルト機構としては、円弧面状の回動面を介して当接する固定ブロックと可動ブロックとで圧着ヘッドを構成するものである。
【０００８】
また、コイニングを施す基板の大きさ種類に応じて下プレスヘッドを交換できるように設定される場合がある。この場合、図２２に示すような構造とするのが一般的である。すなわち、加熱体のヒータホルダ５の上面に嵌合孔６を設けるとともに、下プレスヘッド１の下面から嵌合ピン７を垂下する。そして、ヒータホルダ５の嵌合孔６に下プレスヘッド１の嵌合ピン７を嵌合させた状態で、ヒータホルダ５にねじ部材８を螺着することによって、このねじ部材８の先端縁を嵌合ピン７に当接させて、下プレスヘッド１をヒータホルダ５に固定することになる。
【０００９】
ところで、近年、発光素子（例えば、ＬＥＤチップ）を用いた発光装置が種々提案されている。そして、実装基板上にチップを実装する方法として、ワイヤを用いるワイヤ・ボンディング法がある。このワイヤ・ボンディングによる実装方法は、図１９に示すように、発光素子１７２の電極１７３、１７４を上側とした状態で、基板１７０上の接着剤Ｓ２を介して接着する。その後、ボンディングワイヤ１７１、１７１によって基板１７０上の電極１７５、１７６とチップ１７２の電極１７３、１７４とを接続するものである。
【００１０】
また、実装基板上にチップを実装する方法として、フリップチップ実装法がある。この実装法は、チップ表面と基板を電気的に接続する際に、ワイヤ・ボンディング法のいうワイヤをよって接続するのではなく、アレイ状に並んだ突起状の端子によって接続するものである。
【００１１】
近年、異方性導電接着剤を用いたフリップチップ実装も提案されている（特許文献４および特許文献５）。ここで、異方性導電接着剤とは、絶縁性の高い接着剤中に導電性粒子を均一分散させたものである。異方性導電接着剤を用いたフリップチップ実装は、図２０に示すように、発光素子１８０の電極１８１、１８２を配線基板１８３側に向けた状態で、これら電極１８１、１８２と、配線基板１８３の電極１８４、１８５上に設けたバンプ１８６、１８７とを、異方性導電接着剤Ｓ１中の導電性粒子１８８によって電気的に接続するとともに、異方性導電接着剤Ｓ１中の絶縁性接着剤樹脂によって発光素子１８０を配線基板１８３上に接着する。
【００１２】
フリップチップ実装は、ワイヤ・ボンディング法に比べて実装面積を小さくできる。また、配線が短いために電気的特性が良いという特徴もある。このため、小型、薄型に対する要求の強い携帯機器の回路や、電気的特性が重視される高周波回路などに向く。また、チップの熱を基板に伝えやすいため、発熱が問題になる発光ダイオードの実装にも使われている。I/Oをチップ全面に持つため、チップ面積を小さくすることが可能である。従来一般的だったワイヤ・ボンディングの場合はI/Oがチップ周辺部にあるため、必要なI/O数をそろえるためにチップ面積を大きくしなければならなかった。これに対して、フリップチップ実装では、ワイヤによる配線スペースが不要になるので、パッケージも小さくでき、さらには、電源雑音や配線のインダクタンス、抵抗による損失も低減できる。
【先行技術文献】
【特許文献】
【００１３】
【特許文献１】特開２００４−３４９６０２号公報
【特許文献２】特開２００２−２７０６３０号公報
【特許文献３】特開２００１−２３０２７７号公報
【特許文献４】特開２０１２−１７８４００号公報
【特許文献５】特開２０１３−８２７８４号公報
【発明の概要】
【発明が解決しようとする課題】
【００１４】
平行度出しを作業者が手動調整を行う場合、作業者による平行度のばらつきや作業時間にばらつき等があり、安定した平行度出しを短時間で行うことができず、安定したコイニング作業を行えないとともに、生産性に劣ることになっていた。
【００１５】
特許文献３に記載のものでは、この圧着ヘッドに圧着ツールに付設し、この圧着ツールによって、電子部品を押圧する際の平行度にばらつきがあっても、可動ブロックの固定ブロックに対する相対変位を許容されることによってこのばらつきを吸収するものである。このため、このような機構にものをコイニング装置に適用しても、プレス前において、下プレスヘッドの平行度出だすことができない。
【００１６】
図２１に示すような構造でもって、下プレスヘッドを交換できるように設定した場合、下プレスヘッドの交換作業において、ねじ部材８を螺進退させる必要があり、ねじ部材８を螺進退させる場合、六角レンチ等の工具が必要で、作業性に劣るものであった。
【００１７】
また、異方性導電接着剤を用いたフリップチップ実装では、未硬化の異方性導電接着剤上に発光素子（ＬＥＤチップ）１８０を載置し、熱圧着ヘッド（図示省略）によって発光素子１８０の発光側の面、すなわち、電極１８１、１８２が設けられた側と反対側の面に対して所定の圧力及び温度で加圧・加熱を行う。
【００１８】
これにより、未硬化の異方性導電接着剤Ｓ１の絶縁性接着剤樹脂が硬化し、その接着力によって発光素子が配線基板上に接着固定される。
【００１９】
また、この熱圧着工程において、基板１８３の電極１８４、１８５の端子部（バンプ）１８６、１８７と、発光素子１８０の電極１８１、１８２とに複数の導電性粒子１８８がそれぞれ接触して加圧され、その結果、発光素子１８０の一方の電極１８１と基板１８３の一方の端子部１８６、並びに、発光素子１８０の他方の電極１８２と基板１８３の他方の端子部１８７が、それぞれ電気的に接続される。
【００２０】
その一方で、基板１８３の一方の端子部１８６及び発光素子１８０の一方の電極１８１と、基板１８３の他方の端子部１８７及び発光素子１８０の他方の電極１８２とは、異方性導電接着剤Ｓ１中の絶縁性接着剤樹脂によって互いに絶縁された状態になる。
【００２１】
しかしながら、導電性粒子１８８には、図１８に示すように、粒径ｄのバラツキ（たとえば、５μｍ程度）がある。このため、従来の一般的なプレス装置で加圧すれば、発光素子の電極１８１、１８２と基板１８３の端子部１８６、１８７を、電気的に接続することができない導電性粒子１８８が生じるそれがある。また、異方性導電接着剤Ｓ１中の絶縁性接着剤樹脂を一定温度の加熱できないおそれもある。
【００２２】
このため、異方性導電接着剤を用いたフリップチップ実装では、従来のプレス装置を使用すれば、安定した接触状態および導通状態とを得ることができない場合もあった。
【００２３】
そこで、本発明は斯かる実情に鑑み、高精度にバンプの頂部の安定した平坦化を行うことができ、高荷重対応を損ねることなくプレスヘッドの交換作業に容易に行いことができるプレス装置を提供しようとするものである。
【課題を解決するための手段】
【００２４】
本発明のプレス装置は、上プレスヘッドと、下プレスヘッドと、下プレスヘッドにて受けられた粒子部材形成体に形成される粒子部材を押圧するプレス装置であって、下プレスヘッドは、上面に凹球面を有する下部材と、下面に前記下部材の凹球面に嵌合する凸球面を有する上部材と、上部材の凸球面と下部材の凹球面との間にエアを供給するエア供給・吸引機構と、上部材の外側から押圧して、下部材に対する上部材の位置を固定する固定機構とを有する倣い手段を備え、下部材の凹球面に上部材の凸球面を嵌合させてこれらの間にエアを供給した状態で、上プレスヘッドを下降させて、上プレスヘッドの下端平坦面にて上部材の上面平坦面を押圧して上プレスヘッドと下プレスヘッドとの平行出しを行い、この平行出し状態で凹球面と凸球面との間のエアの排出・吸引により上部材の下部材に対する位置固定を自動で行うものである。
【００２５】
本発明のプレス装置によれば、下部材の凹球面に上部材の凸球面を嵌合させて、この凹球面と凸球面との間にエアを供給する。これによって、凹球面と凸球面との相対的ななめらかな摺動が可能となる。この状態で、上プレスヘッドを下降させて、上プレスヘッドの下端平坦面にて上部材の上面平坦面を押圧すれば、凹球面と凸球面との相対的な摺動によって、上プレスヘッドの下端平坦面と上部材の上面平坦面とが密着した状態となる。すなわち、上プレスヘッドと下プレスヘッドとの平行出しが行われる。このように、平行出しが行われた後は、凹球面と凸球面の間のエアの排出後、吸引保持することで、上部材は平行出しが行われた状態での位置固定が自動で行われる。
【００２６】
下部材の少なくとも凹球面形成部位が大きな垂直荷重に耐えうる受け面積と厚みを有した多孔質材料で構成され、多孔質材料を介してエア供給・吸引機構にて凹球面と凸球面との間にエアを供給・吸引するように構成できる。多孔質材料は小さい気孔が無数にあいている材料であって、金属、セラミックス等がある。
【００２７】
固定機構は、下部材側の固定部に装着されて、螺進退によって上部材に対してその外側から接近・離間する耐偏荷重用のねじ構造体にて構成され、このねじ構造体は周方向に沿って複数本が等配するのが好ましい。このように、固定機構がねじ構造体にて構成されれば、ねじ構造体のねじ部を螺進退させることによって、上部材の位置固定及び位置固定解除を行うことができる。よって、前記（段落００１５）したように垂直耐荷重を向上させることと、この固定機構による偏荷重に耐えるようにすることで、前記（段落００１４）した耐偏荷重性を補い、高荷重対応の自動倣い機能が実現できる。
【００２８】
上プレスヘッドと、下プレスヘッドと、下プレスヘッドを加熱する加熱体とを備えたぷプレス装置であって、下プレスヘッドが加熱体上に載置された状態で下プレスヘッドと加熱体とがロックされるロック機構を備え、このロック機構は、ピン部材と、下プレスヘッドの時計回り又は反時計回りの係合方向の回動でピン部材が係合し、反係合方向の回動でその係合が解除される係合部材とからなるものであってもよい。
【００２９】
このようなロック機構を備えたものでは、下プレスヘッドが加熱体上に載置された状態で下プレスヘッドを係合方向へ回動させることによって、ピン部材が係合部材に係合する。これによって、下プレスヘッドが加熱体にロックされた状態となる。また、このロック状態から下プレスヘッドを反係合方向へ回動させれば、このロック状態が解除される。このため、下プレスヘッドの交換作業を短時間かつ簡単に行うことができる。
【００３０】
ピン部材が下プレスヘッド側に設けられるとともに、係合部材が加熱体側に設けられ、係合部材は、下プレスヘッドの係合方向の回動でピン部材が嵌入し、下プレスヘッドの反係合方向の回動でピン部材の嵌入が解除されるコの字体にて構成されるものであってもよい。
【００３１】
係合部材には、下プレスヘッドの位置ずれを規制する規制部材が付設されるものであってもよい。このような規制部材を設けることによって、安定したプレス加工が可能となる。また、規制部材は、ピン部材が嵌入するコの字体嵌合部に突入するボールを有するボールプランジャにて構成することができる。
【００３２】
このプレス装置は、粒子部材形成体に形成された粒子部材の頂部を上プレスヘッドの下端平坦面で押圧して平坦化するコイニングに用いることができる。
【００３３】
また、プレス装置は、発光素子の電極と基板側電極との間に介在される粒子部材にて導通した状態で異方性導電接着剤を介して発光素子と基板側電極とを接着するフリップチップ実装に用いるものであってもよい。
【発明の効果】
【００３４】
本発明では、上部材は平行出しが行われた状態での位置固定が行われるので、バンプの頂部の平坦化を高精度且つ高荷重で行える。しかも、この平行出し作業は、上プレスヘッドを下降させて、上プレスヘッドの下端平坦面と下部材の上面平坦面とを密着した後、固定機構にて固定すればいいので、作業性に優れ、短時間に下プレスヘッドの交換作業が可能である。
【００３５】
下部材の少なくとも凹球面形成部位が多孔質材料で構成されたものでは、凹球面と凸球面の間のエア（圧縮空気）供給・吸引をすばやく確実に行うことができる。また、多孔質材質に十分な受け面積と厚みを有することで垂直耐加重が向上する。
【００３６】
固定機構をねじ構造体にて構成した場合、上部材が外方からの押圧力付与によって固定されるので、下プレスヘッドの耐偏荷重を大きくすることができる。(例えば、３０ｋＮまでの荷重に対応することができる。)しかも、高荷重対応と短時間での平行出し作業が両立し、固定作業としてねじ構造体のねじ部を螺進する作業は既に倣い機構で吸引保持された下プレスヘッドに接触させる短時間での作業のみである為、交換作業を阻害しない。
【００３７】
ロック機構を備えたものでは、下プレスヘッドの交換作業を短時間かつ簡単に行うことができ、品対交換を必要とする機種に最適となる。また、ロック機構が、ピン部材とコの字体とで構成されたものでは、その構造が単純で、低コスト化を図ることができる。また、規制部材が付設されるものでは、上プレスヘッドと下プレスヘッド密着後の上プレスヘッド上昇時の吸引作用による下プレスヘッドの位置ずれが規制され、安定したプレス動作が可能である。
【００３８】
また、粒子部材の頂部の平坦化を安定して行うことができたので、この粒子部材が、異方性導電接着剤の導電性粒子であれば、導電性粒子の安定した平坦化が可能となって、発光素子の電極と基板側電極との間に介在される粒子部材にて安定した導通状態を構成することができる。多数のチップを一度に実装でき、作業性に優れ、加熱時の熱を基板側へ逃し易いとともに、発光素子（ＬＥＤチップ）の下方から出た光を反射させることができ、発光素子（ＬＥＤチップ）の発光効率の低下を防止することができる工法のプレス機を提供できる。
【図面の簡単な説明】
【００３９】
【図１】本発明の実施形態のプレス装置の要部拡大図である。
【図２】前記図１のプレス装置の上プレスヘッドと下プレスヘッドとの要部簡略図である。
【図３】前記図１のプレス装置の上下動機構を示す簡略図である。
【図４】下プレスヘッドとヒータホルダとの関係を示す簡略平面図である。
【図５】下プレスヘッドとヒータホルダとの関係を示し、（ａ）は簡略右側面図であり、（ｂ）は簡略右側面図である。
【図６】下プレスヘッドとヒータホルダとの関係を示し、（ａ）はロック状態を示す簡略平面図であり、（ｂ）は非ロック状態を示す簡略平面図である。
【図７】固定機構の要部拡大図である。
【図８】下プレスヘッドとヒータホルダとの位置合わせ機構を示す断面図である。
【図９】本発明の他の実施形態のプレス装置の要部拡大図である。
【図１０】前記プレス装置の位置把握手段に用いられるレーザ変位センサの簡略図である。
【図１１】位置把握手段を用いてバンプ押し込み量を算出する方法を示す簡略図である。
【図１２】上プレスヘッドの沈み込み量とプレス荷重との関係を示すグラフ図である。
【図１３】上プレスヘッドと加熱体とを一体化する連結手段を備えたプレス装置の簡略図である。
【図１４】前記連結手段の要部拡大図である。
【図１５】エアブロー手段を備えたプレス装置の簡略図である。
【図１６】プレス装置の参考例を示し、（ａ）は上プレスヘッドに粒子部材形成体としての基板が付着した状態の簡略図であり、（ｂ）は上プレスヘッドから粒子部材形成体を離間させた状態の簡略図である。
【図１７】異方性導電接着剤を用いたフリップチップ実装方法で形成された発光装置の簡略断面図である。
【図１８】異方性導電接着剤の導電性粒子の拡大簡略図である。
【図１９】ワイヤ・ボンディングにて実装した発光装置の簡略断面図である。
【図２０】異方性導電接着剤を用いた従来のフリップチップ実装方法で形成された発光装置の簡略断面図である。
【図２１】従来の上プレスヘッドと下プレスヘッドの関係を示す簡略図である。
【図２２】従来の下プレスヘッドとヒータホルダとのロック状態を示す簡略断面図である。
【発明を実施するための形態】
【００４０】
図１は本発明のプレス装置の要部を示し、図２はこのプレス装置の上プレスヘッド２２としたプレスヘッド２３とを示している。このプレス装置は、例えば、粒子部材形成体２０（ＩＣチップ、チップコンデンサ、チップ抵抗、あるいはこれらを搭載する基板等）の粒子部材２１の頂部を平坦化するコイニングに用いる装置である。この実施形態において、粒子部材２１をバンプ２１と呼び、粒子部材形成体２０をバンプ形成体と呼ぶ場合がある。
【００４１】
プレス装置は、前記上プレスヘッド２２と下プレスヘット２３とを備え、さらに、図３に示すように、上プレスヘッド２２を上下動させる上下動機構２５を備える。上下動機構２５によって上プレスヘッド２２を下降させて、バンプ形成体２０に形成されたバンプ２１の頂部をこの上プレスヘッド２２の下端平坦面２２ａで押圧して平坦化する。
【００４２】
また、このプレス装置は、上プレスヘッド２２による押圧力を検出する水晶圧電式センサ２６と、この水晶圧電式センサ２６にて検出した押圧力に基づいて前記上下動機構２５を制御する圧力制御アンプである圧力制御手段２７とを備え、前記上下動機構を、駆動源を高応答性のサーボモータとするサーボプレス２８にて構成したものである。
【００４３】
水晶圧電式センサ２６とは、水晶に力が加わり、結晶構造に変異があると圧電効果により電荷が発生する原理を用いたセンサであって、電荷は加わった力に正比例するものであって、この電荷を測定することによって圧力を検出するセンサである。サーボプレス２８はサーボモータを駆動源として採用したプレス機械である。
【００４４】
サーボプレス２８は、サーボモータが内装された本体２８ａと、この本体２８ａから下方へ突出されるロッド（ボールねじ）２８ｂとを備え、サーボモータの駆動によって、ロッド２８ｂが上下動する。この際、圧力制御手段２７にてサーボモータの駆動が制御される。すなわち、このサーボプレス２８によって上プレスヘッド２２が荷重制御される。
【００４５】
そして、このロッド２８ｂに、水晶圧電式センサ２６を介して、上プレスヘッド２２を加熱する加熱体３０が付設され、この加熱体３０に上プレスヘッド２２が付設される。このため、サーボプレス２８のロッド２８ｂの上下動によって、上プレスヘッド２２が上下動する。また、この上下動の際には、ガイド機構３１によってガイドされ、上プレスヘッド２２は安定した上下動が可能となっている。下プレスヘッド２３にもこの下プレスヘッド２３を加熱する加熱体２９が付設される。各加熱体２９、３０は、加熱ヒータＨが内装さて、図示省略の制御手段にて、オンオフ制御等にて加熱温度が制御される。
【００４６】
ガイド機構３１は、固定基板３２に配置される複数本のスライドロッド３３を備える。スライドロッド３３は、固定基板３２に設けられたスライドブッシュ３４に挿通されている。なお、ガイド機構３１は、そのスライドロッド３３がサーボプレス２８の本体２８ａの周囲に４本配設されている。すなわち、前側に２本と後側に２本配設されている。また前側の２本は、連結板３５にてその上部が連結され、後側の２本も、連結板３５にてその上部が連結されている。この配置により、加圧中心に対して対称的なガイド構成となり、軽量かつ高剛性な上下駆動機構を実現する。
【００４７】
ところで、このプレス装置は、上プレスヘッド２２とサーボプレス２８との間に停止時の衝撃緩和用のばね手段３７が設けられている。ばね手段３７としては、例えば、皿ばね等からなり、水晶圧電式センサ２６と、加熱体３０の連結部３６との間に配設される。また、連結板３５と固定基板３２との間に自重吊り上げ機構３８を設けている。この自重吊り下げ機構３８は、連結板３５を上方に押し上げる弾性力を有するばね機構からなる。このため、上プレスヘッド２２乃至加熱体３０を吊り上げることができる。
【００４８】
そのプレス装置の下プレスヘッド２３には、倣い手段Ｍが設けられている。すなわち、下プレスヘッド２３は、図１と図２に示すように、上面に凹球面４２を有する下部材４１と、下面に前記下部材４１の凹球面４２に嵌合する凸球面４３を有する上部材４４と、上部材４４の凸球面４３と下部材４１の凹球面４２との間にエアを供給・吸引するエア供給・吸引機構４５と、上部材４４の外側から押圧して、下部材４１に対する上部材４４の位置を固定する固定機構４６とを有する。
【００４９】
この場合、すくなくとも凹球面４２の構成部位が、多孔質材料を介してエア供給・吸引機構４５にて凹球面４２と凸球面４３との間にエアを供給・吸引するように構成できる。多孔質材料は小さい気孔が無数にあいている材料であって、金属、セラミックス等の種々のものがある。
【００５０】
エア供給・吸引機構４５は、エア供給源４７と、このエア供給源４７からの圧縮空気を下部材４１に供給する供給通路４８とを備える。すなわち、エア供給源４７からの圧縮空気が供給通路４８に供給され、多孔質材料を介して凹球面４２と凸球面４３との間にエアが供給・吸引される。
【００５１】
このように、凹球面４２と凸球面４３との間にエアが供給されれば、凹球面４２と凸球面４３との間にすきまが形成され、これによって、下部材４１に対する上部材４４のチルトが許容される。
【００５２】
また、凹球面４２と凸球面４３との間のエアを排出して、この間を負圧状態とすれば、上部材４４のチルトが規制される。そして、この状態で、固定機構４６にて上部材４４をその姿勢を維持するように固定される。
【００５３】
固定機構４６として、図１に示すように、螺進退によって上部材４４に対してその外側から接近・離間するねじ構造体４０にて構成される。すなわち、下部材４１に固着された固定部５６に、ねじ構造体４０が螺着される。この場合、固定部５６には取付片５６ａが設けられ、この取付片５６ａにその軸心が水平方向に延びるねじ孔４９を有し、このねじ構造体４０のねじ部材４０ａが螺合される。
【００５４】
ねじ部材４０ａをねじ孔４９に対して螺進させていけば、ねじ部材４０ａの先端面が上部材４４の外周縁の当接端面４４ｂに当接することになる。すなわち、上部材４４の外周縁の当接端面４４ｂを外側方からねじ部材４０ａによって保持されることになる。このねじ構造体４０及び固定部５６としては、上部材４４の周方向に沿って所定ピッチで４個が配設されている。なお、配設ピッチや配置数は、ねじ部材４０ａの先端面にて上部材４４の外周縁の当接端面４４ｂを保持して、上部材４４の位置姿勢を維持できるものであれば、任意に設定できるが、等配置するのが好ましい。
【００５５】
次に、下部材４１と上部材４４とを備えた下プレスヘッド２３の配置方法を説明する。下部材４１の凹球面４２に上部材の凸球面４３を嵌合させた状態で、凹球面４２と凸球面４３との間にエアを供給する。すなわち、凹球面４２と凸球面４３との間に僅かな隙間を設け、上部材４４を下部材４１に対してチルト許容状態とする。この際には、固定機構４６の固定は行わない。
【００５６】
そして、このチルト許容状態で、上プレスヘッド２２を下降させて、上プレスヘッド２２の下端平坦面２２ａにて上部材４４の上面平坦面４４ａを押圧して上プレスヘッド２２と下プレスヘッド２３との平行出しを行う。すなわち、上部材４４がチルト許容状であるので、上プレスヘッド２２の下端平坦面２２ａと上部材４４の上面平坦面４４ａが密着する平行出しが行われる。
【００５７】
この状態で、凹球面４２と凸球面４３との間を負圧状態とするとともに、固定機構４６による上部材４４の固定を行って、上プレスヘッド２２を上昇させる。これによって、このプレス装置による平行出し作業が可能となる。
【００５８】
次に、前記のように構成されたプレス装置によって、バンプ形成体２０のバンプ２１の頂部を平坦化する方法を説明する。図２に示すように、下プレスヘッド２３に、バンプ２１が形成されたバンプ形成体２０を載置固定する。この状態で、上プレスヘッド２２をサーボプレス２８を駆動することによって下降させて、下プレスヘッド２３の下端平坦面２２ａにてバンプ２１の頂部を押圧する。
【００５９】
この際、水晶圧電式センサ２６にて押圧力が検出され、この押圧力に基づいて圧力制御手段２７にて、サーボプレス２８の押圧力を制御して、バンプ２１に対して最適な押圧力を付与するようにする。この押圧時には、上プレスヘッド２２は加熱体３０にて加熱され、下プレスヘッド２３は、加熱体２９にて加熱される。
【００６０】
バンプ２１に対して最適な押圧力を付与した後は、上プレスヘッド２２を上昇させて、バンプ２１から上プレスヘッド２２を離間させる。これによって、バンプ２１の頂部が平坦化され、平坦化後は、このプレス装置からバンプ２１の頂部が平坦化されたバンプ形成体２０を取り出すことによって、コイニング作業が終了する。
【００６１】
前記プレス装置では、下部材４１の凹球面４２に上部材４４の凸球面４３を嵌合させて、この凹球面４２と凸球面４３との間にエアを供給する。これによって、凹球面４２と凸球面４３との相対的ななめらかな摺動が可能となる。この状態で、上プレスヘッド２２を下降させて、上プレスヘッド２２の下端平坦面２２ａにて上部材４４の上面平坦面４４ａを押圧すれば、凹球面４２と凸球面４３との相対的な摺動によって、上プレスヘッド２２の下端平坦面２２ａと上部材４４の上面平坦面４４ａとが密着した状態となる。すなわち、上プレスヘッド２２と下プレスヘッド２３との平行出しが行われる。このように、平行出しが行われた後は、凹球面４２と凸球面４３の間のエアの排出・吸引を行うとともに、固定機構による上部材４４の下部材４１に対する位置固定を行えば、上部材４４は平行出しが行われた状態での位置固定が行われる。このため、上部材４４は平行出しが行われた状態での位置固定が行われるので、バンプ２１の頂部の平坦化を高精度且つ高荷重で行える。しかも、この平行出し作業は、下プレスヘッド２３を下降させて、上プレスヘッド２２の下端平坦面２２ａと上部材４４の上面平坦面４４ａとを密着させて固定機構４６にて固定すればいいので、作業性に優れ、短時間に下プレスヘッド２３の交換作業が可能である。
【００６２】
下部材４１の少なくとも凹球面形成部位が多孔質材料で構成されているので、凹球面４２と凸球面４３の間のエア（圧縮空気）供給・吸引をすばやく確実に行うことができる。
【００６３】
固定機構４６をねじ構造体４０にて構成しているので、上部材４４が外方からの押圧力付与によって固定されるので、下プレスヘッド２３の耐荷重を大きくすることができる。しかも、固定作業としてねじ構造体のねじ部を螺進すればよく、作業性に優れる。
【００６４】
また、幅広い範囲で高精度な圧力測定が可能な水晶圧電式センサ２６と、加工に最適な荷重制御が可能なサーボプレス２８とを利用して、低圧から高圧までの広範囲（例えば、３０ｋｇｆ〜３０００ｋｇ）のプレスを可能とでき、種々のバンプ形成体２０に対応できる。しかも、荷重制御を高速かつ高精度に行うことができ、安定してバンプ２１の頂部の平坦化を高い生産能力で達成できる。
【００６５】
衝撃緩和用のばね手段３７を配設することによって、上プレスヘッド２２を下降させてバンプ形成体２０にバンプ２１を押圧する際、サーボプレス内部に持つギャップ分のイナーシャに起因する荷重オーバーシュートを防止でき、特に、低圧時の高精度加圧を可能とする。また、自重吊り上げ機構３８によって、上下駆動機構の自重影響による荷重によるオーバーシュートの緩和が可能となり、精度のいい加圧を高速で行うことができる。
【００６６】
ところで、図４〜図６に示すように、下プレスヘッド２３が加熱体（ヒータホルダ）２９上に載置された状態で下プレスヘッド２３と加熱体２９とがロックされるロック機構Ｒを備えものであってもよい。
【００６７】
ロック機構Ｒは、下プレスヘッド２３の相対向する側面からそれぞれ突出されたピン部材７１ａ、７１ｂと、下プレスヘッド２３の時計回り又は反時計回りの係合方向の回動でピン部材７１ａ、７１ｂが係合し、反係合方向の回動でその係合が解除される係合部材７２ａ、７２ｂとを備える。この実施形態では、図６に示すように、矢印Ｃ１方向である時計周り方向が係合方向であり、矢印Ｃ２方向である反時計周り方向が係合が解除される方向である。
【００６８】
一方の係合部材７２ａは、図４と図５（ａ）に示すように、矢印Ａ方向に開口したコの字体からなり、ヒータホルダ２９側に固定され、他方の係合部材７２ｂは、図４と図５（ｂ）に示すように、矢印Ｂ方向に開口したコの字体からなり、ヒータホルダ２９側に固定される。
【００６９】
また、各係合部材７２ａ、７２ｂには、下プレスヘッド２３の位置ずれを規制する規制部材７３ａ、７３ｂが付設されている。規制部材７３ａ、７３ｂとしては、ピン部材７１ａ、７１ｂが嵌入するコの字体嵌合部７４、７４に突入するボール７５を有するボールプランジャ７６にて構成することができる。図７に示すように、ボールプランジャ７６は、その外周面に雄ねじ部が形成された本体部７６ａと、この本体部７６ａ内に収容されるスプリング（図示省略）と、この本体部７６ａの先端開口部に配置されるボール７５とを備え、ボール７５はスプリングの弾性力にて先端側へ押圧されて、自由状態で、先端開口部から所定量だけ突出した状態となっている。
【００７０】
そして、係合部材７２ａ、７２ｂの上壁にねじ穴７７が設けられ、このねじ穴７７にボールプランジャ７６の本体部７６ａの雄ねじ部が螺着される。このため、ピン部材７１ａ、７１ｂが係合部材７２ａ、７２ｂのコの字体嵌合部７４、７４に侵入してきた際には、ピン部材７１ａ、７１ｂの侵入によって、ボール７５が本体部７６ａ内へ引っ込み、このピン部材７１ａ、７１ｂの侵入を許容し、ピン部材７１ａ、７１ｂがこのボール７５を超えてコの字体嵌合部７４、７４の奥側へ入った場合、ピン部材７１ａ、７１ｂによるボール７５の押し込み力が解除され、ボール７５が本体部の先端開口部から突出した状態となる。これによって、コの字体嵌合部７４、７４からのピン部材７１ａ、７１ｂの抜けを規制できる。
【００７１】
次に、このロック機構Ｒによるとロックとロック解除の方法を説明する。この場合、例えば、図８に示すように、ヒータホルダ２９の上面中央部からピン８０が突出され、下プレスヘッド２３の下面中央部には、穴部８１が設けられている。このため、ヒータホルダ２９のピン８０を下プレスヘッド２３の穴部８１に嵌合させる。この嵌合状態では、図６（ｂ）に示すように、一方のピン部材７１ａを、一方の係合部材７２ａの開口部に対向させるとともに、他方のピン部材７１ｂを、他方の係合部材７２ｂの開口部に対向させる。
【００７２】
この状態で、下プレスヘッド２３をピン８０を中心に矢印Ｃ１方向に回動させる。この場合、ピン部材７１ａが係合部材７２ａの開口部の対向し、かつ、ピン部材７１ｂが係合部材７２ｂの開口部に対向しているので、ピン部材７１ａが係合部材７２ａのコの字体嵌合部７４に嵌入するとともに、ピン部材７１ｂが係合部材７２ｂのコの字体嵌合部７４に嵌入していく。そして、この嵌入によって、各ボールプランジャ７６の各ボール７５が各ピン部材７１ａ、７１ｂに押圧されて、本体部７６ａに押し込まれ、各ピン部材７１ａ、７１ｂのコの字体嵌合部７４奥への嵌入が許容される。
【００７３】
各ピン部材７１ａ、７１ｂが各ボール７５を超えれば、ボール７５への押圧力が解除され、ボール７５がコの字体嵌合部７４内に突入して、図７に示す状態となる。これによって、下プレスヘッド２３をピン８０を中心に矢印Ｃ１方向とは逆方向の矢印Ｃ２への回動力を付与しない限り、各ピン部材７１ａ、７１ｂのコの字体嵌合部７４からの抜けを規制する。しかしながら、下プレスヘッド２３をピン８０を中心に矢印Ｃ２への回動力を付与すれば、各ボールプランジャ７６の各ボール７５が各ピン部材７１ａ、７１ｂに押圧されて、本体部７６ａに押し込まれ、各ピン部材７１ａ、７１ｂのコの字体嵌合部７４からの脱出が許容される。
【００７４】
このようなロック機構Ｒを備えたものでは、下プレスヘッド２３が加熱体２９上に載置された状態で下プレスヘッド２３を係合方向へ回動させることによって、ピン部材７１ａ、７１ｂが係合部材７２ａ、７２ｂに係合する。これによって、下プレスヘッド２３が加熱体にロックされた状態となる。また、このロック状態から下プレスヘッド２３を反係合方向へ回動させれば、このロック状態が解除される。このため、下プレスヘッド２３の交換作業を短時間かつ簡単に行うことができ、品対交換を必要とする機種に最適となる。また、ロック機構Ｒが、ピン部材７１ａ、７１ｂと係合部材７２ａ、７２ｂとで構成されたものでは、その構造が単純で、低コスト化を図ることができる。また、規制部材７３ａ、７３ｂが付設されるものでは、上プレスヘッド２２と下プレスヘッド２３との密着後の上プレスヘッド２２上昇時の吸引作用による下プレスヘッド２３の位置ずれが規制され、安定したプレス動作が可能である。
【００７５】
図９に示すプレス装置は、バンプ形成体２０と前記上プレスヘッド２２の下端平坦面２２ａとの間の位置関係を把握する位置把握手段５９を備えている。位置把握手段５９は、図１０に示すように、バンプ形成体２０の厚さを検出するレーザ変位センサ５７等を備える。
【００７６】
レーザ変位センサ５７は、三角測量を応用した方式で、発光素子と受光素子の組み合わせで構成される。発光素子からのレーザ光が測定対象物に照射され、対象物から反射された光線を受光素子上にスポットを結ぶ。この対象物が移動するごとにスポットも移動するので、そのスポットの位置を検出することで対象物までの変位量を知ることができる。
【００７７】
この場合、図１０に示すように、バンプ形成体２０の複数の点で厚さを図る多点高さ測定を行い、それらの測定値が制御部５８に送信される。制御部５８では、この測定値等を用いて、プレスヘッド２２の下端平坦面２２ａとの間の位置関係を把握することができる。
【００７８】
すなわち、図１１に示すように、バンプ形成体２０の厚さ寸法をＴ１とし、プレスによって押し潰されるバンプ２１の平坦面高さをＴ２とし、プレス前の上プレスヘッド２２の下端平坦面２２ａから下プレスヘッド２３の上面２３ａまでの高さをＨ１とし、上プレスヘッド２２の下端平坦面２２ａからバンプ２１に接触するまでの寸法Ｈ２とし、バンプ２１に接触してからの上プレスヘット２２の移動距離（押し潰し量）をＨ３としたときに、この押し潰し量Ｈ３は、[Ｈ１−（Ｔ１＋Ｔ２）]−Ｈ２で表される。このため、バンプ２１の押し潰し量Ｈ３を算出することができる。よって位置制御によるコイニングが可能となる。
【００７９】
次に、前記のように構成されたプレス装置よって、バンプ形成体２０のバンプ２１の頂部を平坦化する方法を説明する。図１１に示すように、下プレスヘッド２３に、バンプ２１が形成されたバンプ形成体２０を載置固定する。この状態で、上プレスヘッド２２をサーボプレス２８を駆動することによって下降させて、下プレスヘッド２３の下端平坦面２２ａにてバンプ２１の頂部を押圧する。
【００８０】
この際、押圧力が検出され、この押圧力に基づいて圧力制御手段２７にて、サーボプレス２８の押圧力を制御して、バンプ２１に対して最適な押圧力（荷重）を付与するようにすると共に、前記位置把握手段５９を用いてバンプ２１の押し潰し量Ｈ３を算出する。この押圧時には、上プレスヘッド２２は加熱体３０にて加熱され、下プレスヘッド２３は、加熱体２９にて加熱される。
【００８１】
この際、プレス荷重（押圧力）と、上プレスヘッド２２のバンプ押し込み量とを図４に示すように、対比させることができる。すなわち、荷重（上プレスヘッド２２の押圧力）と位置変位（上プレスヘッド２２の下端平坦面の高さ位置）との相関関係の把握が可能となる。
【００８２】
これによって、上プレスヘッド２２の材質や温度影響によるコイニング時の上プレスヘッド２２の押し込み量の変化把握が可能となる。このため、本発明では、図１２の実線で示すように、上プレスヘッド２２の材質や温度影響に関係なく、実線で示すように、押し込み量が一定となるように設定できる。通常は、仮想線で示すように、同じプレス荷重であっても押し込み量がｔだけ変位している。本発明では、このように、荷重制御であっても、位置の把握の数値的に可能となり、製品毎に適性な荷重と速度設定を可能とする。
【００８３】
このプレスが終了すれば、上プレスヘッド２２を上昇させて、バンプ２１から上プレスヘッド２２を離間させる。これによって、バンプ２１の頂部が平坦化され、平坦化後は、このプレス装置からバンプ２１の頂部が平坦化されたバンプ形成体２０を取り出すことによって、コイニング作業が終了する。
【００８４】
このプレス装置を用いれば、荷重と位置変位との相関関係の把握が可能となり、バンプ形成体プレス時の正確な情報に基づく適正な速度設定を可能とすることで、バンプ形成体２０の頂部の高精度の平坦化が可能となる。また、位置の基準データを取得することによって、位置制御による平坦化が可能となる。
【００８５】
また、位置把握手段の位置把握の基準データは、プレス前のバンプ形成体の厚さ寸法をレーザ変位センサ等を用いることで、位置制御による平坦化が可能となる。
【００８６】
ところで、このプレス装置では、図１３と図１４に示すように、上プレスヘッド２２と加熱体３０とを連結手段Ｓにて連結されるものである。この場合の連結手段Ｓは、くさび部材９０と、このくさび部材９０を上プレスヘッド２２側へ押圧して上プレスヘッド２２を加熱体３０側へ押し上げる押圧機構９１とを備える。
【００８７】
くさび部材９０は、本体ブロック部９０ａと、この本体ブロック部９０ａの下部から連設されたくさび部９０ｂとからなる。なお、このくさび部材９０が断熱材９２にて被覆されている。また、上プレスヘッド２２は、下端平坦面２２ａを有する本体９３と、この本体９３を支持する基盤部９４とからなり、この基盤部９４をくさび部材９０を介して、加熱体３０に押し付けている。
【００８８】
この場合、基盤部９４には、図１４に示すようなくさび嵌合用の切欠部９５が設けられ、この切欠部９５にくさび部材９０のくさび部９０ｂが嵌入する。このくさび部９０ｂは、その上面９６が凹曲面乃至基端側から先端側に下端側へ傾斜するテーパ面となっており、押圧機構９１にて矢印Ｄ方向に押し圧され、その上面９６が切欠部９５の外端縁９５ａに当接している。これによって、上プレスヘッド２２が矢印Ｅのように、加熱体３０側へ押し上げられ、加熱体３０に上プレスヘッド２２に密着する。なお、この連結手段Ｓ（くさび部材９０と押圧機構９１）は、例えば、周方向に沿って９０度ピッチで配置される。  
【００８９】
押圧機構９１は、この場合、シリンダ機構にて構成している。すなわち、加熱体３０側に固定されるシリンダ本体９１ａと、このシリンダ本体９１ａから延びるロッド９１ｂとからなり、ロッド９１ｂがくさび部材９０に連結されている。
【００９０】
連結手段Ｓを備えたものでは、上プレスヘッド２２の加熱体３０への着脱作業において、ねじ部材の螺進退作業を行うことなく、いわゆるワンタッチに行うことができ、作業性に優れる。しかも、上プレスヘッド２２の装着状態では、加熱体３０に均等に配設されたヒータと、上プレスヘッドに比べて十分に大きなサイズの加熱体とすることで、上プレスヘッド２２が均一に加熱され、熱膨張が均一に生じる。また、上プレスヘッド２２が熱膨張した際も、このくさび形のホルダーによって上プレスヘッド２２が加熱体３０に常時密着し、熱伝導は妨げられない。結果として上プレスヘッド２２が加熱体に押し上げられるものであり、上プレスヘッド２２のプレス面である下端平坦面２２ａの平面度を維持でき、バンプ２１の頭部の高精度の平坦化を行うことができる。
【００９１】
くさび部材９０と押圧機構９１との間には断熱材９２が配設されるので、加熱する必要のない連結手段Ｓを加熱を防止でき、連結手段Ｓの加熱による劣化損傷を防止できる。
【００９２】
また、図１５に示すプレス装置では、バンプ形成体２０に対して上方側からエアを吹き付けてこのバンプ形成体２０を下プレスヘッド側に残すエアブロー手段５０を備えている。
【００９３】
エアブロー手段５０は、エア供給源としての図示省略のコンプレッサと、このコンプレッサからの圧縮空気を供給されるエアブロー通路５１とを備える。エアブロー通路５１は、加熱体３０等に付設されるブロック体５２に形成される。すなわち、ブロック体５２にコンプレッサから配管が接続される継手５３が設けられ、エアブロー通路５１に継手５３を介してコンプレッサからの圧縮空気が供給される。また、エアブロー通路５１には、バンプ形成体２０の外縁部に対してエアを吹き付けるためのエア噴出口５５が設けられている。
【００９４】
このため、図示省略のコンプレッサからの圧縮空気がエアブロー通路５１に供給され、このエアブロー通路５１のエア噴出口５５から噴射される。これによって、バンプ形成体２０の外縁部に対して直接的にエアをブローすることができる。このようにエアブローされれば、プレス後において、上プレスヘッドを上昇させた際に、この上プレスヘッドの上昇にともなったバンプ形成体の上昇を有効に防止できる。
【００９５】
これに対して、図１６（ａ）（ｂ）に示すように、エアブローを用いないで、プレス後におけるバンプ形成体２０の持ち上がりを規制する手段がある。この場合、バンプ形成体２０を押圧する押圧子（ノックアウトピン）６０と、この押圧子６０を保持する保持体６１と、この保持体６１を下方へ押圧する押圧機構６２とを備える。押圧機構６２は加熱体３０側の支持体６３に設けられてガイドブッシュ６４と、このガイドブッシュ６４に挿通されて保持体６１に連設されるガイドロッド６５と、ガイドロッド６５を下方へ弾性的に押圧する弾性部材６６とを備える。
【００９６】
このため、ノックアウトピン６０にてバンプ形成体２０を押圧することになって、バンプ形成体２０を上プレスヘッド２２から離間させることができる。しかしながら、この場合、ノックアウトピン６０にてバンプ形成体２０を押圧するので、バンプ形成体２０に打痕が発生するおそれがある。また、このような機構では、図例のように、ノックアウトピン６０の上下動をガイドするガイド機構等を別途の設ける場合、いわゆる品対交換が必要となる。さらに、近年のバンプ等のサイズ拡大化によるノックアウトピンの配置スペースの減少化、およびバンプ周囲の接触禁止エリアを有する基板に対応できない。
【００９７】
これに対して、図１５に示すように、エアブロー手段５０のエアは当たるものであって、部材が直接当たるものではないので、バンプ形成体の損傷等を有効に防止できる。
【００９８】
ところで、図１７は、異方性導電接着剤を用いたフリップチップ実装方法で形成された発光装置を示している。この発光装置は、基板１５３上に異方性導電接着剤Ｓ１を介して発光素子１５０が接続されるものであって、発光素子１５０の電極１５１、１５２を基板１５３側に向けた状態で、これら電極１５１、１５２と、基板１５３の電極１５４とを、異方性導電接着剤Ｓ１中の粒子部材２１としての導電性粒子１５８によって電気的に接続するものである。なお、発光素子１５０としては、例えば、ＬＥＤチップである。
【００９９】
異方性導電接着剤Ｓ１の接着樹脂としては、例えば、エポキシ樹脂、シリコン樹脂、アクリル樹脂、不飽和ポリエステル樹脂等で構成できる。この場合、透明性、接着性、耐熱性、機械強度、電気絶縁性等の観点からエポキシ樹脂が好適である。また、導電性粒子１５８としては、金、銀、ニッケル、銅、パタジウム、これらの合金にて構成できる。さらに、合成樹脂からなる球状粒子の外周面に各種メッキ（ニッケルメッキや金フラッシュメッキ等）を施したものであってもよい。
【０１００】
次に、前記図３に示すプレス装置を用いて、図１７に示す発光装置の実装方法を説明する。基板１５３の電極１５４と、発光素子１５０の電極１５１、１５２とを、対向する方向に配置した状態で、基板１５３の電極１５４と発光素子１５０の電極１５１、１５２とを覆うように、未硬化のペースト状の異方性導電接着剤Ｓ１を配置する。すなわち、基板１５３上に異方性導電接着剤Ｓ１を介して発光素子１５０が載置されてなるワークを形成する。なお、ワークのチップ数としては、１個の場合もあるが、通常、多数個である。
【０１０１】
そして、そのワークを、プレス装置の下プレスヘッド２３上に載置固定する。この状態で、上プレスヘッド２２をサーボプレス２８を駆動することによって下降させて、下プレスヘッド２３の下端平坦面２２ａにて発光素子１５０を押圧する。
【０１０２】
この際、発光素子（ＬＥＤチップ）１５０と上プレスヘッド２２との間に、緩衝材１４９（図１７参照）を介在させるのが好ましい。緩衝材１４９としては、耐熱性および衝撃緩和性等に優れた材質のシート体からなる。例えば、テフロン（登録商標）シート等にて構成できる。緩衝材１４９を用いれば、プレス時のＬＥＤチップ１５０への衝撃を緩和できるとともに、ＬＥＤチップ１５０のバラツキを吸収でき、さらには、プレス後に、上プレスヘッド２２を上昇させる際の上プレスヘッド２２へのチップ１５０の付着を防止できる。
【０１０３】
この際、水晶圧電式センサ２６にて押圧力が検出され、この押圧力に基づいて圧力制御手段２７にて、サーボプレス２８の押圧力を制御して、導電性粒子１５８に対して最適な押圧力を付与するようにする。この押圧時には、上プレスヘッド２２は加熱体３０にて加熱され、下プレスヘッド２３は、加熱体２９にて加熱される。
【０１０４】
このため、本発明のプレス装置を、異方性導電接着剤を用いたフリップチップ実装に用いれば、精密荷重制御が可能となって、基板１５３の電極１５４と、発光素子（ＬＥＤチップ）１５０の電極１５１、１５２とを導電性粒子１５８を介して安定した接続状態を構成できる。これによって、過剰な加圧を防止でき、ＬＥＤチップ１５０の損傷等を有効に防止できる。特に、前記したように、緩衝材１４９を用いると、ＬＥＤチップ１５０の損傷等の防止により効果的である。
【０１０５】
また、図１に示すような倣い手段Ｍを備えたものでは、上部材４４は平行出しが行われた状態での位置固定が行われるので、導電性粒子１５８の頂部の平坦化を高精度且つ高荷重で行える。
【０１０６】
しかも、一定温度の付与が可能となって、異方性導電接着剤の均一の硬化が可能となり、接着性および作業性に優れることになる。また、多数のチップを一度に実装でき、作業性に優れ、加熱時の熱を基板側へ逃し易いとともに、ＬＥＤチップ１５０の下方から出た光Ｌ（図１７参照）を反射させることができ、ＬＥＤチップ１５０の発光効率の低下を防止することができる工法のプレス機を提供できる。さらに、前記図４から図１６に示すプレス装置も使用できるので、これらの装置の作用効果が発揮される。なお、図９に示すプレス装置を使用する場合、前記位置把握手段２６は、発光素子（ＬＥＤチップ）１５０の肉厚を考慮した位置把握となる。
【０１０７】
以上、本発明の実施形態につき説明したが、本発明は前記実施形態に限定されることなく種々の変形が可能であって、例えば、プレス装置として、前記実施形態では、上プレスヘッド２２と下プレスヘッド２３とを一対備えたものであったが、上プレスヘッド２２と下プレスヘッド２３とを複数対備えたものであってもよい。この場合、各上プレスヘッド２２に対応してサーボプレス２８等が配置される。
【０１０８】
前記実施形態では、多孔質材料を介して凹球面４２と凸球面４３との間にエアが供給・吸引されるものであり、凹球面４２を構成部位のみを多孔質材料としたが、下部材全体を多孔質材料としてもよい。また、多孔質材料を介することなく、凹球面４２と凸球面４３との間に開口するエアブロー通路を下部材に設け、このエアブロー通路を介してエアを供給するようにしてもよい。また、固定機構４６のねじ構造体４０の数としても、上部材４４の平行出しを行った後、この状態を維持しつつプレス動作が可能な範囲で任意に設定できる。
【０１０９】
図８等において、ヒータホルダ２９の上面中央部からピン８０が突出され、下プレスヘッド２３の下面中央部には、穴部８１が設けられていたが、逆に、下プレスヘッド２３の下面中央部にピンが垂下され、ヒータホルダ２９の上面中央部にこのピンが嵌合する穴部が設けられたものであってもよい。ロック機構Ｒとして、前記実施形態では、係合方向の回転として時計廻りであったが、係合方向の回転として反時計廻りであってもよい。すなわち、一方の係合部材７２ａの開口部を矢印Ａと反対の方向に開口するともに、他方の係合部材７２ｂの開口部を矢印Ｂと反対の方向に開口するようにすればよい。
【０１１０】
エアブロー手段５０のエア噴出口５５の数、口径、配設ピッチ等は、上プレスヘッド２２を上昇させた際に、この上プレスヘッド２２の上昇にともなったバンプ形成体２０の上昇を有効に防止できる範囲で、任意に設定できる。
【０１１１】
ところで、プレス加工するものとして精密加圧加熱装置がある。この精密加圧加熱装置（精密ホットプレス）は、上下の定盤の間にシート状のワークをセットして、加熱した定盤をサーボモータ駆動のリニアアクチュエータ等により所定のプロファイルで押付けてワークを熱圧着させたり、板状の金型を一緒に挟んで熱転写成型したりするものである。これに対して、図３に示すプレス装置は、近年提案されている精密加圧加熱装置（精密ホットプレス）以上の能力（高速性及び高精度性）を有しているので、先端ツール等を変更することによって、この種の精密加圧加熱装置や他の装置に使用可能である。
【０１１２】
また、フリップチップ実装に用いる異方性導電接着剤Ｓ１の粒子部材２１としての導電性粒子１５８の粒径および配設数等は、実装される発光素子１５０に応じて種々のものを用いることができ、異方性導電接着剤Ｓ１の絶縁性接着剤樹脂としても、実装される発光素子に応じて種々のものを用いることができる。
【符号の説明】
【０１１３】
２０   粒子部材（バンプ形成体）
２１   粒子部材（バンプ）
２２ａ 下端平坦面
２２   上プレスヘット
２３   下プレスヘット
２９、３０    加熱体
４０   ねじ構造体
４１   下部材
４２   凹球面
４３   凸球面
４４   上部材
４４ａ 上面平坦面
４５   エア供給・吸引機構
４６   固定機構
５６   固定部
７１ａ、７１ｂ       ピン部材
７２ａ、７２ｂ       係合部材
７３ａ、７３ｂ       規制部材
７４   コの字体嵌合部
７５   ボール
７６   ボールプランジャ
Ｒ     ロック機構
【図１】
2014132649.tif 000003
【図２】
2014132649.tif 000004
【図３】
2014132649.tif 000005
【図４】
2014132649.tif 000006
【図５】
2014132649.tif 000007
【図６】
2014132649.tif 000008
【図７】
2014132649.tif 000009
【図８】
2014132649.tif 000010
【図９】
2014132649.tif 000011
【図１０】
2014132649.tif 000012
【図１１】
2014132649.tif 000013
【図１２】
2014132649.tif 000014
【図１３】
2014132649.tif 000015
【図１４】
2014132649.tif 000016
【図１５】
2014132649.tif 000017
【図１６】
2014132649.tif 000018
【図１７】
2014132649.tif 000019
【図１８】
2014132649.tif 000020
【図１９】
2014132649.tif 000021
【図２０】
2014132649.tif 000022
【図２１】
2014132649.tif 000023
【図２２】
2014132649.tif 000024